(57)【要約】      （修正有）【課題】かごの乗り場側の先端を示すかご敷居線と、乗り場のかご側の先端を示す乗り場敷居線の間隔を狭くできるエレベータの扉開閉装置を提供する。【解決手段】エレベータの扉開閉装置は、かごに設置され、かご側係合装置９を有するかご側扉２と、乗り場に設置され、乗り場側係合装置を有する乗り場側扉とを備え、かご側係合装置と乗り場側係合装置とが係合し、かご側扉と乗り場側扉とが一体となって開閉する。また、かご側係合装置がかご側扉の全閉時に乗り場側扉からかご側扉の方向に近づいて位置する案内手段をかごに設置し、かご側扉と乗り場側扉が係合して開閉する間、かご側係合装置が上下に移動しないようにした。【選択図】図１
2007238255.tif 000002
【特許請求の範囲】
【請求項１】
かごに設置され、かご側係合装置が上下動可能に取り付けられたかご側扉と、乗り場に設置され、乗り場側係合装置が取り付けられた乗り場側扉とを含む構成とし、上記かご側係合装置と上記乗り場側係合装置が係合することにより、かご側扉と乗り場側扉が一体となって開閉するエレベータの扉開閉装置であって、上記かご側扉の開閉時に、上記かご側扉を上記乗り場側扉方向へ移動させるエレベータの扉開閉装置において、
上記かご側扉の閉成終了時に、上記かご側係合装置を上方向に吊り上げるかご側係合装置吊り上げ手段と、
上記かご側扉に取り付けられ、上記かご側扉の開放開始時に上記かご側係合装置吊り上げ手段から開放されて下降するかご側係合装置の上記下降距離を所定距離に制限するストッパー手段と、
上記かご側係合装置と上記かご側扉との間に回動可能に取り付けられ、上記かご側係合装置の上記下降に伴い上記かご側係合装置を上記乗り場側扉に向かって移動させるかご側係合装置移動手段と、
を備えたことを特徴とするエレベータの扉開閉装置。
【請求項２】
上記かご側係合装置吊り上げ手段は、かご側係合装置の上端部に回転可能に取り付けられた回転体と、かごに取り付けられ、上記回転体を支える案内手段とを含み、上記案内手段の上記回転体を支える部位に傾斜面を形成したことを特徴とする請求項１記載のエレベータの扉開閉装置。
【請求項３】
上記かご側係合装置吊り上げ手段は、かご側係合装置の上端部に回転可能に取り付けられた回転体と、かごに取り付けられ、上記回転体を支える案内手段とを含み、上記かご側扉の閉成時に、上記回転体を上記案内手段に押し付ける押圧手段を備えたことを特徴とする請求項１記載のエレベータの扉開閉装置。
【請求項４】
上記案内手段の回転体を支える部位に傾斜面を形成したことを特徴とする請求項３記載のエレベータの扉開閉装置。
【請求項５】
上記ストッパー手段は、かご側係合装置を支える高さが調整できるものであることを特徴とする請求項１〜請求項４のいずれかに記載のエレベータの扉開閉装置。
【請求項６】
かご側係合装置の先端部と乗り場敷居線の距離をＡ１、乗り場側係合装置の先端部とかご敷居線の距離をＡ２、かご敷居線と乗り場敷居線の距離をＡ３、エレベータが走行するために必要とするかご側機器と乗り場側若しくは昇降路側機器との間隔をＡｍｉｎとした場合、Ａ１、Ａ２、Ａ３をそれぞれＡｍｉｎより大きく設定したことを特徴とする請求項１〜請求項５のいずれかに記載のエレベータの扉開閉装置。
【発明の詳細な説明】
【技術分野】
【０００１】
この発明は、エレベータの扉開閉装置に係り、特に、乗り場敷居線とかご敷居線の間隔を狭めることのできるエレベータの扉開閉装置に関するものである。
【背景技術】
【０００２】
近年、建築物、特に公共性の高い建築物に対しては身障者あるいは高齢者に対する利便性の向上が要求されることが多く、その建築物に設置されるエレベータに対する要求も同様である。このため、エレベータを設置する場合に、乗り場敷居線とかご敷居線の間隔を狭めることへの要望が強くなっている。
【０００３】
このような要望に答えた技術の一つとして、従来、次の技術が提案されている。即ち、かごに設置され、かご側係合装置を有するかご側扉と、乗り場に設置され、乗り場側係合装置を有する乗り場側扉とを備え、かご側係合装置と乗り場側係合装置とが係合し、かご側扉と乗り場側扉が一体となって開閉するエレベータの扉開閉装置であって、かご側係合装置に上方から下方に傾斜面を付け、このかご側係合装置に扉駆動用リンクの先端を連結し、扉開放時の最初の力を利用してかご側係合装置を下方に移動させることにより、かご側係合装置を乗り場側係合装置の方向に移動させ、両者を確実に係合させるようにした技術が提案されている。この技術によれば、かご側係合装置が乗り場側の扉方向へ移動可能に構成されているので、乗り場敷居線とかご敷居線の間隔を狭めることができる（例えば、特許文献１参照）。
【０００４】
【特許文献１】特開２００１−３４８１７７号公報（要約の欄、図１）
【発明の開示】
【発明が解決しようとする課題】
【０００５】
しかし、上記特許文献に開示された技術は、かご側扉と乗り場側扉が係合して開閉する間、かご側係合装置が上下方向に移動するものであって、かご側係合装置を上下方向に長くしなければならない欠点がある。特に、片開きや出入口幅の大きいエレベータの扉開閉装置においては、この欠点が顕著になり、かご側係合装置と乗り場側係合装置との係合部分のスペースを大きく確保する必要があるなどの課題があった。
【０００６】
この発明は、上記のような課題を解決するためになされたもので、かご側係合装置と乗り場側係合装置との係合部分において、かご側係合装置の簡単な移動手段を採用することにより、乗り場敷居線とかご敷居線の間隔を狭めることができるエレベータの扉開閉装置を提供するものである。
【課題を解決するための手段】
【０００７】
この発明に係るエレベータの扉開閉装置は、かごに設置され、かご側係合装置が上下動可能に取り付けられたかご側扉と、乗り場に設置され、乗り場側係合装置が取り付けられた乗り場側扉とを含む構成とし、上記かご側係合装置と上記乗り場側係合装置が係合することにより、かご側扉と乗り場側扉が一体となって開閉するエレベータの扉開閉装置であって、上記かご側扉の開閉時に、上記かご側扉を上記乗り場側扉方向へ移動させるエレベータの扉開閉装置において、上記かご側扉の閉成終了時に、上記かご側係合装置を上方向に吊り上げるかご側係合装置吊り上げ手段と、上記かご側扉に取り付けられ、上記かご側扉の開放開始時に上記かご側係合装置吊り上げ手段から開放されて下降するかご側係合装置の上記下降距離を所定距離に制限するストッパー手段と、上記かご側係合装置と上記かご側扉との間に回動可能に取り付けられ、上記かご側係合装置の上記下降に伴い上記かご側係合装置を上記乗り場側扉に向かって移動させるかご側係合装置移動手段と、を備えたものである。
【発明の効果】
【０００８】
この発明に係るエレベータの扉開閉装置は、かご側扉の閉成終了時に、かご側係合装置がかご側に近づくよう移動するため、かご敷居線と乗り場敷居線との敷居間隔を狭くすることができる。
【０００９】
また、かご側扉の閉成終了時に、上記かご側係合装置を上方向に吊り上げるかご側係合装置吊り上げ手段を設けたものであって、かご側扉と乗り場側扉が係合して開閉する間、かご側係合装置が上下方向に移動するものではないので、かご側係合装置の長さを必要以上に長くする必要がなくなり、従って、かご側係合装置と乗り場側係合装置との係合部分のスペースを大きく確保する必要がなくなる。
【発明を実施するための最良の形態】
【００１０】
以下に添付図面を参照して、この発明に係るエレベータの扉開閉装置の好適な実施の形態について詳細に説明する。
【００１１】
実施の形態１．
図１から図８はこの発明の実施の形態１を説明する図で、図１はかご側扉の全閉時あるいはエレベータ走行時における状態を示す全体正面図、図２は図１のＡ部を拡大して示す部分拡大図、図３は図１に示すかご側係合装置の拡大斜視図、図４はかご側扉が図１の状態におけるかご側扉と乗り場側扉との位置関係を説明する縦断面図、図５はかご側係合装置と乗り場側係合装置との係合状態を説明する横断面図である。また、図６はかご側扉が全開時あるいは開放途中におけるかご側扉と乗り場側扉との位置関係を説明する縦断面図、図７はかご側扉の開放途中における状態を示す全体正面図、図８はかご側扉の全開時における状態を示す全体正面図である。
【００１２】
図１において、かごの上方部には筐体１が設置されており、この筐体１内には、かご側扉２の開閉時にその移動をガイドするドアレール３が布設され、また、駆動手段４により伝達装置５を介して駆動される無端状ベルト６が収納されている。無端状ベルト６にはかご側扉２を吊り下げる吊り具７が取り付けられており、駆動装置４を駆動すると無端状ベルト６が移動し、吊り具７と共にかご側扉２が図１において左右方向に移動し、開閉する。
【００１３】
図２あるいは図３の拡大図から理解されるように、かご側扉２には、側面に一対の縦長の係合部９ａを有する断面コ字形状のかご側係合装置９が、後述する方法により乗り場側係合装置８方向に開口する開口部を有して取り付けられている。かご側係合装置９は、後述する動作により上下方向に移動し、この移動に伴って乗り場側係合装置８がかご側係合装置９の上記コ字形状の区画内を出入りする。乗り場側係合装置８がかご側係合装置９の上記コ字形状の区画内にある場合は、乗り場側係合装置８とかご側係合装置９が係合する場合であり、乗り場側係合装置８がかご側係合装置９の上記コ字形状の区画から外に出た場合は、乗り場側係合装置８とかご側係合装置９との係合が解除される場合である。
【００１４】
なお、図４から理解されるように、かご側係合装置９はかご敷居線１０を突出しない位置となるように構成されると共に、乗り場側係合装置８は乗り場敷居線１１を突出しない位置となるように構成されており、かご敷居線１０と乗り場敷居線１１とは、所望距離となるように構成されている。
【００１５】
次に、かご側扉２へのかご側係合装置９の取り付け方法について図３を用いて説明する。かご側扉２には、Ｌ型金具からなる取付金１２がかご側係合装置９の両側に位置するように並列的に取り付けられている。取付金１２とかご側係合装置９の係合部９ａとの間は、それぞれベアリングで連結された腕１３ａを上下方向に２つ並べて形成されたかご側係合装置移動手段１３により連結されている。即ち、かご側係合装置９とかご側扉２との間には、かご側係合装置移動手段１３が回動可能に取り付けられており、このかご側係合装置移動手段１３の回動により、かご側係合装置９をかご側扉２から乗り場側扉１４に向かって平行に移動させるように構成されており、その移動後の状態が図６に示されている。
【００１６】
かご側扉２には、かご側係合装置９の下方に位置する部位に、ストッパー手段１５がかご側係合装置９と所定距離を介して取り付けられており、かご側扉２の開放時にかご側係合装置９を支えるように構成されている。このストッパー手段１５は、例えば、ねじ孔に螺合するねじ状体からなり、ねじ状体の螺合位置を調整することにより、かご側係合装置９を支える高さが調整できるように構成されている。かご側係合装置９を支える高さを調整することにより、乗り場側係合装置８とかご側係合装置９の係合状態が調整できる利点がある。
【００１７】
かご側係合装置９の係合部９ａの上部には、回転体、例えば、ローラ１６がベアリングにより回動可能に取り付けられており、このローラ１６は、かご側扉２の閉成終了時に筐体１に取り付けられた案内手段１７により支えられるように構成されている。案内手段１７のローラ１６を支える部位には、ローラの回転移動を容易にする傾斜面が形成されており、かご側扉２の閉成終了時にローラ１６が案内手段１７の傾斜面に沿って回転しながら上昇し、これによってかご側係合装置９が僅かに上方へ引っ張られる状態になる。従って、ローラ１６と案内手段１７により、かご側係合装置吊り上げ手段１８を構成することになる。なお、案内手段１７は、かご側扉２の開放動作と同期してローラ１６の支えを解除するように、かご側扉２に加わる開放力により案内手段１７の傾斜面が回転する機構が採用されている。
【００１８】
上記においては、かご側係合装置移動手段１３を、かご側係合装置９とべアリングで連結された腕１３ａを上下方向に２つ並べる構成としたが、例えば、傾きを有し、かご側係合装置９を上下に案内することにより、かご側扉２から乗り場側扉１４に向かって移動させる座としてもよく、その構造を前述の腕１３ａによる機構に限定するものではない。
【００１９】
また、ローラ１６は、かご側係合装置９の係合部９ａの上部にベアリングにより取り付けられたローラとして説明したが、案内手段１７に沿ってかご側扉２の開閉方向だけでなく、乗り場側扉１４からかご側扉２の方向にも抵抗無く移動し、かご側係合装置移動手段１３に左右方向の動きが拘束されているかご側係合装置９を上下方向に移動させることが可能であればどのような構造であっても構わない。
【００２０】
実施の形態１によるエレベータの扉開閉装置は上記のように構成されており、次にその動作について説明する。
【００２１】
先ず、エレベータの走行時について説明する。エレベータの走行時においては、かご側扉２が閉まっている状態、即ち、図１に示す状態である。また、かご側係合装置９は、かご側係合装置移動手段１３に左右方向の動きが拘束されながら上下方向に移動可能に構成されているので、かご側扉２に対する駆動装置４の駆動力の作用と共に、ローラ１６により案内手段１７に沿って上方へ引っ張られた状態になっている。
【００２２】
上記におけるかご側係合装置９の状態を図４および図５を用いて説明する。前述のように、かご側係合装置移動手段１３は、かご側係合装置９が図４に示すように上方に位置する時に、かご側係合装置９をかご側扉２に近い位置に移動させるように取付金１２を介してかご側扉８に取り付けられている。従って、かご側係合装置９が案内手段１７に沿ってローラ１６により上方へ引っ張られた状態、即ち、かご側扉２の全閉時あるいはエレベータ走行時においては、図５（ａ）に示すように、かご側係合装置９と乗り場側係合装置８とは互いに離れた状態となる。これにより、かご敷居線１０と乗り場敷居線１１の間に突出している機器等の障害物を無くすことができ、かご敷居線１０と乗り場敷居線１１との間隔をエレベータ走行時に必要な最小間隔にまで縮小することができる。上記のように、かご敷居線１０と乗り場敷居線１１との間隔をエレベータ走行時に必要な最小間隔にまで縮小することのできるかご側係合装置９の構成は、乗降のしやすいエレベータの設置を可能とする。
【００２３】
次に、かご側扉２の開閉時の動作について説明する。先ず、かご側扉２の開放時の動作について図１と、図４から図８を用いて説明する。エレベータの走行中は、図４のようにローラ１６が案内手段１７に支えられ、図５（ａ）のようにかご側係合装置９はかご側扉２に近い位置に引き込まれている。そして、かごが所望の階に着床した後、かご側扉２及び乗り場側扉１４が開くことになる。
【００２４】
図１に示すかご側扉２の全閉時あるいはエレベータ走行時における状態からかご側扉２が開き始めるのと同期して、案内手段１７はローラ１６の支えを解除し、ローラ１６は案内手段１７から離れる。次に、ローラ１６が案内手段１７から離れた瞬間、かご側係合装置９は自重により降下し、ストッパー手段１５により支えられて図６の状態になる。この時、図５（ｂ）に示すように乗り場側係合装置８はかご側係合装置９のコ字形状の区画内で係合部９ａに接触しない状態にある。その後、かご側扉２が更に開放動作を続けると、図５（ｃ）に示すように、かご側係合装置９の片側の係合部９ａへ乗り場側係合装置８が押し付けられ、乗り場側扉１４も開放方向へ移動する。即ち、かご側扉２と乗り場側扉１４とが一体となって開くことになる。そのまま、図７、図８に示すように扉の半開時から全開時まで、かご側係合装置９は移動せず、かご側扉２と相対的に一定の位置にあり続ける。
【００２５】
次に、かご側扉２の閉成時の動作について図１と図５を用いて説明する。利用者の乗り降り等が終了すると、かご側扉２が閉成することになる。かご側扉２の全開時には、図５（ｃ）に示すように、乗り場側係合装置８とかご側係合装置９の係合部９ａとは係合した状態にあり、かご側扉２が閉まり始めるとかご側係合装置９の片側の係合部９ａに押し付けられていた乗り場側係合装置８は他方の係合部９ａに押し付けられて図５（ｄ）のようになり、かご側扉２と乗り場側扉１４は一体となって閉成動作を行う。かご側係合装置９と乗り場側係合装置８は、かご側扉２が全閉になるまでこの図５（ｄ）の状態を保ったままである。
【００２６】
かご側扉２が全閉すると、図１に示すように、ローラ１６は案内手段１７と接触したあと、案内手段１７の傾斜部位に沿って上方に移動し、それに伴ってかご側係合装置９は上方に引き上げられ、かご側係合装置移動手段１３によりかご側扉２の方向に引き込まれた位置となる。これにより、かご側係合装置９と乗り場側係合装置８との係合は解除され、かご側扉２の全閉時あるいはエレベータ走行時の状態と同じ状態になる。当然、かご側扉２の閉成中はかご側係合装置９が引き込まれたままの状態を維持し、かご側扉が開放しないようにする必要があるので、押圧手段によりかご側扉２を全閉方向へ常に押し付けて置く必要があるが、この押圧手段としては、駆動手段４によりかご側扉２に少しの力を作用させるか、またはターミナルクローザなどによる手段が考えられる。
【００２７】
実施の形態２．
実施の形態１においては、かご側係合装置９はかご敷居線１０を突出しない位置となるように構成されると共に、乗り場側係合装置８は乗り場敷居線１１を突出しない位置となるように構成した実施の形態について説明した。しかし、かご側係合装置９とかご敷居線１０との位置関係、あるいは乗り場側係合装置８と乗り場敷居線１１との位置関係は、必ずしも上記の位置関係である必要はなく、以下、その説明を実施の形態２として説明する。
【００２８】
なお、実施の形態２におけるエレベータの扉開閉装置は、実施の形態１と同様の構成であるので、同一符号を付すことによりその説明を省略する。また、かご側扉の動作、及びかご側係合装置の動作についても実施の形態１と同様であるのでその説明を省略する。
【００２９】
図９は、実施の形態２におけるエレベータ走行時のかご側係合装置と乗り場側係合装置の係合状態を、実施の形態１におけるエレベータ走行時のかご側係合装置と乗り場側係合装置の係合状態と比較して説明する横断面図である。
【００３０】
実施の形態２においては、図９（ａ）に示すように、かご側係合装置９はその先端部がかご敷居線１０から乗り揚側に突出し、また、乗り場側係合装置８はその先端部が乗り場敷居線１１からかご側に突出して位置している。これに対し、実施の形態１においては、図９（ｂ）に示すように、かご側係合装置９はその先端部がかご敷居線１０から乗り揚側に突出しないように位置し、また、乗り場側係合装置８はその先端部が乗り場敷居線１１からかご側に突出しないように位置している。
【００３１】
これらの図において、Ａ１はかご側係合装置９の先端部と乗り場敷居線１１の距離、Ａ２は乗り場側係合装置８の先端部とかご敷居線１０の距雄、Ａ３はかご敷居線１０と乗り場敷居線１１の距離、Ａ４はかご側扉２と乗り場側扉１４の間隔、Ａ５はかご側扉２とかご側係合装置９の先端部との距離、Ａ６は乗り場側扉１４と乗り場側係合装置８の先端部との距離を示すものである。
【００３２】
ところで、エレベータが走行するためにはかご側機器と昇降路側機器の間にある程度の間隔Ａｍｉｎが必要である。この為、Ａ１、Ａ２、Ａ３はそれぞれＡｍｉｎより大きく設定する必要がある。すなわち、敷居間隔Ａ３については、図９（ａ）ではＡ３＜Ａ１＋Ａ２（≧２×Ａｍｉｎ）、図９（ｂ）ではＡ３≧Ａｍｉｎとなる。また、かご側扉２と乗り場側扉１４との距離Ａ４については、図９（ａ）ではＡ４＜Ａ２（≧Ａｍｉｎ）＋Ａ５＋Ａ６、図９（ｂ）ではＡ４≧Ａ３（≧Ａｍｉｎ）＋Ａ５＋Ａ６となる。
【００３３】
この為、実施の形態２のエレベータの扉開閉装置によれば、かご敷居線１０と乗り場敷居線１１の距離、即ち、敷居間隔については、実施の形態１に比べて大きくなるものの、かご側扉２と乗り場側扉１４の間隔については、実施の形態１よりも小さくすることができ、既存のエレベータに適用しやすくなる。
【００３４】
上記のように、かご側係合装置９はかご敷居線１０から突出しないように位置し、乗り場側係合装置８は乗り場敷居線１１から突出しないように位置している必要性は必ずしもなく、かご側係合装置９はかご敷居線１０からの乗り揚側に突出して位置し、乗り場側係合装置８は乗り場敷居線１１からかご側に突出して位置していても、次の条件を満足すれば良い。
【００３５】
即ち、Ａ１をかご側係合装置９の先端部と乗り場敷居線１１の距離、Ａ２を乗り場側係合装置８の先端部とかご敷居線１０の距雄、Ａ３をかご敷居線１０と乗り場敷居線１１の距離、Ａｍｉｎをエレベータが走行するために必要とするかご側機器と乗り場側若しくは昇降路側機器との間隔とした場合、Ａ１、Ａ２、Ａ３をそれぞれＡｍｉｎより大きく設定すれば良いことが理解される。
【００３６】
上記各実施の形態については、この発明によるエレベータの扉開閉装置を片開き扉のエレベータに適用した例について図示説明したが、両開き扉のエレベータに適用しても同等の効果を奏することは言うまでもない。
【産業上の利用可能性】
【００３７】
以上のように、この発明によるエレベータの扉開閉装置は、乗り場敷居線とかご敷居線の間隔を狭めることを可能とし、公共性の高い建築物に設置される片開き扉のエレベータや出入口幅の大きいエレベータの扉開閉装置への利用可能性が大である。
【図面の簡単な説明】
【００３８】
【図１】この発明の実施の形態１によるエレベータの扉開閉装置のかご側扉の全閉時あるいはエレベータ走行時における状態を示す全体正面図である。
【図２】この発明の実施の形態１によるエレベータの扉開閉装置の一部を拡大して示す部分拡大図である。
【図３】この発明の実施の形態１によるエレベータの扉開閉装置のかご側係合装置の拡大斜視図である。
【図４】この発明の実施の形態１によるエレベータのドア開閉装置のかご側扉と乗り場側扉との位置関係を説明する縦断面図である。
【図５】この発明の実施の形態１によるかご側係合装置と乗り場側係合装置との係合状態を説明する横断面図である。
【図６】この発明の実施の形態１によるかご側扉が全開時あるいは開放途中におけるかご側扉と乗り場側扉との位置関係を説明する縦断面図である。
【図７】この発明の実施の形態１によるかご側扉の開放途中の状態を示す全体正面図である。
【図８】この発明の実施の形態１によるかご側扉の全開時の状態を示す全体正面図である。
【図９】この発明の実施の形態２によるエレベータ走行時のかご側係合装置と乗り場側係合装置の係合状態を説明する横断面図である。
【符号の説明】
【００３９】
１  筐体                          ２  かご側扉
３  ドアレール                    ４  駆動手段
５  伝達装置                      ６  無端状ベルト
７  吊り具                        ８  乗り場側係合装置
９  かご側係合装置              １０  かご敷居線
１１  乗り場敷居線                １２  取付金
１３  かご側係合装置移動手段      １４  乗り場側扉
１５  ストッパー手段              １６  ローラ
１７  案内手段                    １８  かご側係合装置吊り上げ手段
【図１】
2007238255.tif 000003
【図２】
2007238255.tif 000004
【図３】
2007238255.tif 000005
【図４】
2007238255.tif 000006
【図５】
2007238255.tif 000007
【図６】
2007238255.tif 000008
【図７】
2007238255.tif 000009
【図８】
2007238255.tif 000010
【図９】
2007238255.tif 000011